(57)【要約】【課題】装着者の口から容易に口当て部を外すことができる防塵マスクの提供。【解決手段】装着者の口Ｍｏが当てられる口当て部１２にフィルタ１３が取り付けられ、この口当て部１２を含む筒状の本体１１で装着者の口Ｍｏから首Ｎｅまでを覆う防塵マスク１０において、本体１１は、可撓体からなり、口当て部１２の上端を装着者の顎Ｃｈの下まで撓ませることができる。【効果】口当て部１２の上端を装着者の顎Ｃｈの下まで撓ませることで、装着者の口Ｍｏから口当て部１２を外すことができる。このため、装着者の口Ｍｏから容易に口当て部１２を外すことができる。【選択図】図１
2011130872.tif 000002
【特許請求の範囲】
【請求項１】
装着者の口が当てられる口当て部にフィルタが取り付けられ、この口当て部を含む筒状の本体で前記装着者の口から首までを覆う防塵マスクにおいて、
前記本体は、可撓体からなり、前記口当て部の上端を前記装着者の顎の下まで撓ませることができることを特徴とする防塵マスク。
【請求項２】
前記本体は、伸縮性を有する素材が用いられることを特徴とする請求項１記載の防塵マスク。
【請求項３】
前記伸縮性を有する素材は、編み物であることを特徴とする請求項２記載の防塵マスク。
【請求項４】
前記口当て部には、前記フィルタを着脱自在に掛り止めるための掛り止め部が設けられていることを特徴とする請求項１記載の防塵マスク。
【請求項５】
前記口当て部に開口を設け、且つ前記掛り止め部を前記本体の内周側に設けることで、
前記フィルタを前記内周側から前記口当て部に向かって掛かり止め、前記フィルタの少なくとも一部が前記開口から露出されることを特徴とする請求項４記載の防塵マスク。
【請求項６】
前記本体に、前記口当て部を前記装着者へ密着させるための締め付け部材が取付けられていることを特徴とする請求項２記載の防塵マスク。
【請求項７】
前記締め付け部材は、口当て部から前記装着者の後頭部に向かって延ばされ、前記装着者の後頭部を回しがけする紐状部材からなり、
前記紐状部材が、前記本体に対して相対的に移動可能に取り付けられており、
前記紐状部材を移動させることで、前記本体が収縮するように撓むことを特徴とする請求項６記載の防塵マスク。
【発明の詳細な説明】
【技術分野】
【０００１】
本発明は、防塵マスクに関する。
【背景技術】
【０００２】
研削作業等において、空気を濾過して粉塵等を防ぐために作業者等が着用して、鼻や口を覆う顔面マスクは周知である。これらのマスクは、作業者の鼻と口を覆う位置に保持するため、後頭部の周りに取付ける一つ又は複数のバンドを有するものや、マスクの左右端から、着用者の耳の後部周りへ延在する耳掛け用ループ取付具を備えているマスクが、一般的である。
【０００３】
これらのマスクの着用では、休憩時において、水分補給や、リラックスをする場合には、鼻や口の覆われている部分を外したい場合がある。
この場合、後頭部のバンドに手を回してこれを外し、あるいは、左右の耳後部に手を回してこれを耳から外して、マスクを取外し、そのマスクを手に持ったまま、あるいは、どこか清潔な場所に一時おいておくこととなる。
【０００４】
これらの休憩時の煩わしさを解消するため、例えば特許文献１においては、垂下バンドを有して、マスクが鼻や口を覆わない場合は、首の回りに保持できるものが提案されている。
【０００５】
しかし、特許文献１のものは、マスクを外すに当たっては、左右の耳後部に手を回してこれを耳から外す手間は変わらない。また、作業時、首周りに粉塵等の付着がある場合があり、マスク垂下状態では、それらの粉塵が、外されたマスクに付着しないように、気遣うことになる。
【０００６】
特許文献２は、防寒用マスクである。口当て部から首を覆う首当て部が延設されているものである。
【０００７】
例えばこれを、防塵マスクとして転用した場合、首周りに防塵等の付着は発生しない。しかし特許文献２のマスクの場合、図１のものにおいては、後頭部に手を回して係止部材を外して、顔面に当接している側を、外側にして晒して垂らすことになり、粉塵の付着への気遣いは、依然残る。
【０００８】
図８のものは、左右側部において伸縮性部材が設けられ、径方向に拡張させて頭から被りやすくしているものである。この場合、径方向の伸縮で、頭から被るあるいは、頭上方向へ完全に脱ぐことを容易にしたとされているが、一時的な休憩時に、鼻や口を覆う部分を一時的にずらして開放させる等への配慮、工夫は見られない。
【先行技術文献】
【特許文献】
【０００９】
【特許文献１】特表２００１−５０７２６３公報
【特許文献２】特開昭６２−２４３８１１号公報
【発明の概要】
【発明が解決しようとする課題】
【００１０】
本発明は、一時的な休憩時に、鼻や口を覆う部分を一時的にずらして開放できると共に、当該部分の粉塵等の付着を阻止可能とした防塵マスクの提供を課題とする。
【課題を解決するための手段】
【００１１】
請求項１に係る発明は、装着者の口が当てられる口当て部にフィルタが取り付けられ、この口当て部を含む筒状の本体で装着者の口から首までを覆う防塵マスクにおいて、本体は、可撓体からなり、口当て部の上端を装着者の顎の下まで撓ませることができることを特徴とする。
【００１２】
請求項２に係る発明では、本体は、伸縮性を有する素材が用いられることを特徴とする。
【００１３】
請求項３に係る発明では、伸縮性を有する素材は、編み物であることを特徴とする。
【００１４】
請求項４に係る発明は、口当て部には、フィルタを着脱自在に掛り止めるための掛り止め部が設けられていることを特徴とする。
【００１５】
請求項５に係る発明は、口当て部に開口を設け、且つ掛り止め部を本体の内周側に設けることで、フィルタを内周側から口当て部に向かって掛かり止め、フィルタの少なくとも一部が開口から露出されることを特徴とする。
【００１６】
請求項６に係る発明は、本体に、口当て部を装着者へ密着させるための締め付け部材が取付けられていることを特徴とする。
【００１７】
請求項７に係る発明では、締め付け部材は、口当て部から装着者の後頭部に向かって延ばされ、装着者の後頭部を回しがけする紐状部材からなり、紐状部材が、本体に対して相対的に移動可能に取り付けられており、紐状部材を移動させることで、本体が収縮するように撓むことを特徴とする。
【発明の効果】
【００１８】
請求項１に係る発明では、本体は、可撓体からなり、口当て部の上端を装着者の顎の下まで撓ませることができる。口当て部の上端を装着者の顎の下まで撓ませることで、装着者の口から口当て部を外すことができる。このため、装着者の口から容易に口当て部を外すことができる。
【００１９】
一方、本体は、装着者の口から首までを覆うので、防塵マスクの装着時は、口や鼻から首部分までが防塵可能となる。この為、口当て部を顎の下まで撓ませてもフィルターの顔面当接側への粉塵等の付着を阻止することが可能である。
以上から、一時的な休憩時に、鼻や口を覆う部分を一時的にずらして開放できると共に、当該部分の粉塵等の付着を阻止可能とした防塵マスクということができる。
【００２０】
請求項２に係る発明では、本体は、伸縮性を有する素材が用いられる。本体が伸縮性を有するため、口当て部を口に当てる場合は本体が伸張し、口当て部を顎の下まで撓ませる場合は本体が収縮する。本体が伸縮することで、さらに容易に装着者の口から口当て部を外すことができる。
【００２１】
請求項３に係る発明では、伸縮性を有する素材は、編み物である。即ち、本体は編み物糸を編んでなる。編み物糸で編んだ本体が、装着者の口や首を覆うため、装着者は良好な装着感を得ることができる。
さらに、編み物は伸縮性に優れると共に保温性にも優れているので、寒冷地や寒冷時に好適である。
【００２２】
請求項４に係る発明は、口当て部には、フィルタを着脱自在に掛り止めるための掛り止め部が設けられている。フィルタは口当て部に着脱自在に掛かり止められる。適切な時期に、フィルタのみを取り替えればよく、経済的である。
【００２３】
請求項５に係る発明では、口当て部に開口を設け、且つ掛り止め部を内周側に設ける。内周側から開口に対して押すようにして、フィルタを口当て部に掛かり止める。このとき、フィルタの一部が開口から露出されるようにすることで、開口がフィルタの位置決めの役割を果たす。フィルタが開口によって位置決めされることで、フィルタの装着を容易に行うことができる。
【００２４】
請求項６に係る発明では、本体に、口当て部を装着者へ密着させるための締め付け部材が取付けられている。締め付け部材で、口当て部を装着者へ密着させる。口当て部に取り付けられるフィルタがより装着者に密着する。  
【００２５】
請求項７に係る発明では、締め付け部材は、口当て部から装着者の後頭部に向かって延ばされ、装着者の後頭部を回しがけする紐状部材からなる。紐状部材を移動させることで本体が収縮し、装着者にフィルタを密着させる。フィルタの装着者への密着性を高めるために、紐状部材を操作するだけでよく、有益である。
【図面の簡単な説明】
【００２６】
【図１】実施例１に係る防塵マスクの斜視図である。
【図２】フィルタの開口部への取付け方を説明する図である。
【図３】防塵マスクを装着した形態の側面図である。
【図４】防塵マスクを装着した形態の正面図である。
【図５】防塵マスクを顎の下に撓ませた形態の側面図である。
【図６】防塵マスクを顎の下に撓ませた形態の正面図である。
【図７】実施例２に係る防塵マスクの断面図である。
【発明を実施するための形態】
【００２７】
本発明の実施の形態を添付図に基づいて以下に説明する。
【実施例１】
【００２８】
先ず、本発明の実施例１を図面に基づいて説明する。
図１に示されるように、防塵マスク１０は、筒状の本体１１と、この本体１１の一部である口当て部１２に取り付けられたフィルタ１３と、このフィルタ１３の上部１５及び下部１６を通り、フィルタ１３を装着者に対して押付けることで密着させる締め付け部材としての紐状部材１７、１７とからなる。
【００２９】
本体１１は、毛糸、レース糸、絹糸、刺繍糸、リリヤン等、伸縮性を有する編み物糸を編んでなる。これらの素材を編んだ本体１１は、可撓性を有する。即ち、本体１１は、伸縮性を有する素材を用いた可撓体である。
【００３０】
このような編み物の他にも、伸縮性を有する素材には、フェルトやギャザなどが適用できる。  
編み物はこれらに比べて、伸縮性に優れ装着感もよく保温性を持たせることもできる。
【００３１】
フィルタ１３は、装着者が空気を吸込むための空気吸込み口２２が、口当て部１２の一部に設けられた開口２４から外部に臨むようにして取付けられている。即ち、フィルタ１３の一部は、開口２４から露出されている。
このようなフィルタ１３の取付け方について、次図で詳細に説明する。
【００３２】
図２は、本体１１の右断面視図とフィルタ１３の正面図である。
図２に示すように、口当て部１２の内周側には、フィルタ１３を掛かり止めるための面ファスナ製の右側掛り止め部２６Ｒ（Ｒは装着者から見て右を示す添え字。以下同じ。）が設けられている。
尚、図には表れないが、左側の同位置に左側掛かり止め部２６Ｌ（Ｌは装着者から見て左を示す添え字である。以下同じ。）が設けられている。
【００３３】
一方、フィルタ１３の両側方であって、掛り止め部２６に対応する位置に、面ファスナ２７Ｒ、２７Ｌが取付けられている。
【００３４】
フィルタ１３を本体１１に取り付けるには、内周側から開口２４に対して押すようにして、フィルタ１３を口当て部１２に掛かり止める。
より具体的には、面ファスナ２７を掛り止め部２６に向かって押すようにして掛かり止める。このとき、フィルタ１３の一部が開口２４から外部（図面左）に向かって露出されるようにすることで、開口２４がフィルタ１３の位置決めの役割を果たす。フィルタ１３が開口２４によって位置決めされることで、フィルタ１３の装着を容易に行うことができる。
【００３５】
加えて、フィルタ１３は口当て部１２に着脱自在に掛かり止められる。フィルター機能を維持するための適切な交換時期がきたら、フィルタ１３のみを取り替えればよく経済的である。
【００３６】
ここで、本体１１は外周生地２８と内周生地２９との二重の生地からなる。この外周生地２８と内周生地２９との間に紐状部材１７が通される。紐状部材１７を引っ張った場合であっても、紐状部材１７と装着者の間に内周生地２９が挟まれているため、内周生地２９がクッションの役割を果たす。
【００３７】
さらに、紐状部材１７を外周生地２８で覆うことで、外部に露出する紐状部材１７の長さを短くすることができる。紐状部材１７をできるだけ外観に現さないようにすることで、防塵マスク１０の外観性が高まる。
フィルタ１３が取り付けられた防塵マスク１０の装着の仕方について次図で詳細に説明する。
【００３８】
図３に示すように、装着者Ｍｎは、頭上から被るようにして防塵マスク１０を装着する。このような防塵マスク１０によれば、装着者の口Ｍｏから首Ｎｅまでを覆うことができる。このことにより、口Ｍｏ周りに飛散する粉塵のみならず、首Ｎｅ周りに向かって飛散する粉塵に対しても防塵の効果を得ることができる。
【００３９】
防塵マスク１０を被った後は、紐状部材１７、１７に取付けられたストッパ３２のボタン３３を押しながら、紐状部材１７、１７を矢印に示すよう引っ張る。これにより、本体１１が撓みながら収縮され、フィルタ１３が装着者Ｍｎにより密着する。
【００４０】
加えて、紐状部材１７、１７は、口当て部１２から装着者の後頭部Ｂａに向かって延ばされ、装着者の後頭部Ｂａを回しがけする。紐状部材１７、１７を移動させる（引っ張る）ことで本体１１が収縮し、装着者Ｍｎにフィルタ１３を密着させる。フィルタ１３の装着者Ｍｎへの密着性を高めるために、紐状部材１７、１７を操作するだけでよく、操作が簡単であり有益である。
【００４１】
加えて、フィルタ１３の上部１５及び下部１６から装着者の後頭部Ｂａに向かって、紐状部材１７、１７を設けた。フィルタ１３の中央（例えば、空気吸い込み口２２の上面）を紐状部材１７で押さえる場合に比べ、上部１５及び下部１６の両端から押さえた方が、よりフィルタ１３を装着者Ｍｎに密着させることができる。
また、ストッパ３２を用いた構成とすることで、ボタン３５を開放するだけで容易に密着状態を維持でき、また、ボタン３５を押すだけで、簡単に緩めることができる。
【００４２】
なお、紐状部材１７は、ストッパ３２で紐状部材１７の移動を止めるものの他、装着者の後頭部Ｂａで紐状部材１７を結ぶようなものや、紐状部材１７の先端に係合穴と係合部材を取り付けて係合させるものであってもよい。
このような防塵マスク１０は、口当て部１２の上部に鼻当て部１９が設けられている。鼻当て部１９について次図で詳細に説明する。
【００４３】
図４に示すように、口当て部１２の上部には、略への字状を呈し装着者の鼻に被せられる鼻当て部１９が延ばされている。鼻当て部１９を略への字状に上方に延ばすことで、装着者の視界を遮らずに装着者の鼻まで防塵マスク１０を装着させることができる。
防塵マスク１０の装着時は、口や鼻から首部分までの粉塵等の付着を阻止することができる。
【００４４】
このような防塵マスク１０の装着中に、例えば休憩をするために口当て部１２を口から外したいことがある。このような場合の、防塵マスク１０の使用の仕方について次図で詳細に説明する。
【００４５】
図５に示すように、装着者の口Ｍｏから口当て部１２を外す場合は、ストッパ３２のボタン３３を押しながら、矢印で示すようにストッパ３２を移動させる。移動させることで、収縮されていた本体１１が緩む。本体１１を緩ませた後、装着者Ｍｎは防塵マスク１０を首Ｎｅに向かって下ろすと、口当て部１２を容易に装着者の顎Ｃｈの下まで撓ませることができ、装着者の口Ｍｏから口当て部１２を外すことができる。
【００４６】
図６に示すように、本体１１には伸縮性を有する素材が用いられる。本体１１が伸縮性を有するため、口当て部１２を口に当てる場合は本体１１が伸張し、口当て部１２を顎Ｃｈの下まで撓ませる場合は本体１１が収縮する。本体１１が伸縮することで、さらに容易に装着者の口Ｍｏから口当て部１２を外すことができる。
【００４７】
加えて、伸縮性を有する素材は、編み物である。即ち、本体１１は編み物糸を編んでなる。編み物糸で編んだ本体１１が、装着者の口Ｍｏや首Ｎｅを覆うため、装着者Ｍｎは良好な装着感を得ることができる。
【００４８】
さらに、防塵マスク１０は、装着者の口Ｍｏから首Ｎｅまでを覆うことができる。即ち、首Ｎｅの周りへの粉塵の付着を防止している。これにより装着者Ｍｎは、首Ｎｅの周りに飛散した粉塵がフィルタ１３に付着することを気にせずに、顎Ｃｈの下に口当て部１２を撓ませることができる。
このような防塵マスク１０の別実施例について次図で説明する。
【実施例２】
【００４９】
次に、本発明の実施例２を図面に基づいて説明する。
図７に示されるように、防塵マスク４０は、口当て部４１に開口（図１、符号２４参照。）を有さない。
また、掛り止め部２６がフィルタ１３の上下を掛かり止めるように設けられている。
【００５０】
このような防塵マスク４０においても、口当て部４１の上端を装着者の顎の下まで撓ませることで、装着者の口から口当て部４１を外すことができる。このため、装着者の口から容易に口当て部４１を外すことができる、という本発明の効果を得ることができる。
【００５１】
さらに、開口を設けなかった場合は、装着者の口がフィルタ１３及び口当て部４１の両方で覆われる。このため、フィルタ１３のみで覆われた場合に比べ、フィルターの交換時期を比較的長くでき、より経済的である。
【００５２】
尚、本発明に係る防塵マスクでは、掛り止め部に面ファスナを用いたが、ボタンやフック等フィルタを掛かり止めることができるものであれば、これらのものに限られない。
また、掛かり止め位置は、実施例１は左右以外の例えば、上下位置であっても良く、実施例２で左右に配置しても良い。また、いずれの実施例においても、斜め四方の４箇所に配置しても良い。
尚、掛かり止め部は、左右対称に配置させることが望ましい。
【産業上の利用可能性】
【００５３】
本発明の防塵マスクは、粉塵が飛散する研削作業に好適である。
【符号の説明】
【００５４】
１０、４０…防塵マスク、１１…本体（編み物）、１２、４１…口当て部、１３…フィルタ、１７…紐状部材（締め付け部材）、２４…開口、２６…掛り止め部、Ｍｎ…装着者、Ｍｏ…口、Ｎｅ…首、Ｃｈ…顎。
【図１】
2011130872.tif 000003
【図２】
2011130872.tif 000004
【図３】
2011130872.tif 000005
【図４】
2011130872.tif 000006
【図５】
2011130872.tif 000007
【図６】
2011130872.tif 000008
【図７】
2011130872.tif 000009